(57)【要約】  複数の独立してアドレス指定可能な領域にパターニングされる有機発光ダイオード装置が開示されている。 発光層は、前記装置の第１領域においては第１の厚さのものであり、前記装置の第２領域においては第２の厚さのものであり、故に、前記第１領域及び前記第２領域から光を放射させるのに十分である電圧が前記発光層の全面にわたって印加される場合、前記装置の前記第１領域によって第１カラーポイントの光が発せられ、前記装置の前記第２領域によって第２カラーポイントの光が発せられる。
2008530810.tif 000002
【特許請求の範囲】
【請求項１】
陽極と、陰極と、少なくとも１つの有機エレクトロルミネセント化合物を有する発光層とを支持する基板を有する発光装置であり、前記発光層が、前記陽極と、前記陰極との間に配設され、前記装置が、複数の独立してアドレス指定可能な領域にパターニングされる発光装置であって、
第１領域及び第２領域から光を放射させるのに十分である電圧が前記発光層の全面にわたって印加される場合、前記装置の前記第１領域によって第１カラーポイントの光が発せられ、前記装置の前記第２領域によって第２カラーポイントの光が発せられるように、前記発光層が、前記装置の前記第１領域においては第１の厚さのものであり、前記装置の前記第２領域においては第２の厚さのものであることを特徴とする発光装置。
【請求項２】
前記発光層が、少なくとも、第１有機エレクトロルミネセント化合物と、第２有機エレクトロルミネセント化合物との組み合わせを有する請求項１に記載の装置。 
【請求項３】
前記第１及び／又は第２有機エレクトロルミネセント化合物が、エレクトロルミネセント高分子を有する請求項１又は２に記載の装置。
【請求項４】
前記第１カラーポイントが第１の白色のカラーポイントであり、前記第２カラーポイントが第２の白色のカラーポイントである請求項１乃至３のいずれか一項に記載の装置。 
【請求項５】
少なくとも、前記陽極と前記陰極との間に配設される第２の発光層を有する請求項１乃至４のいずれか一項に記載の装置。
【請求項６】
正孔輸送及び／又は正孔注入機能を持ち、前記発光層と、前記陽極との間に配設される少なくとも１つの層を有する請求項１乃至５のいずれか一項に記載の装置。
【請求項７】
電子輸送及び／又は電子注入機能を持ち、前記発光層と、前記陰極との間に配設される少なくとも１つの層を有する請求項１乃至６のいずれか一項に記載の装置。 
【請求項８】
請求項１乃至７のいずれか一項に記載の装置を有する照明システム。
【請求項９】
請求項１乃至７のいずれか一項に記載の装置を有する表示装置。
【発明の詳細な説明】
【技術分野】
【０００１】
本発明は、陽極と、陰極と、少なくとも１つの有機エレクトロルミネセント化合物(organic electroluminescent compound)を有する発光層とを支持する基板を有する有機発光ダイオード装置であって、前記発光層が、前記陽極と、前記陰極との間に挟まれ、前記装置が、複数の独立してアドレス指定可能な領域(independently addressable domains)にパターニング(pttern)される有機発光ダイオード装置に関する。
【背景技術】
【０００２】
フラットパネルディスプレイ内の光源として、及び環境照明の供給のためといった、幾つかの異なる照明用途のために、高分子(polymer)ＯＬＥＤ（ポリＯＬＥＤ）、小分子(small-molecule)ＯＬＥＤ（ｓｍＯＬＥＤ）及び発光電気化学セル（ＬＥＥＣ）などの有機ベースの発光ダイオード（ＯＬＥＤ）が提案されている。 
【０００３】
有機ＬＥＤの技術は、例えば、発光材料をベースにした、薄い自発光(self-emissive)ディスプレイの製造を可能にする。これらの材料は、例えば、小分子、デンドリマ(dendrimer)、オリゴマ(oligomer)及び高分子であり得る。
【０００４】
有機ＬＥＤは、一般的に、２つの導電性電極の間に挟まれる、電気的及び／又は光学的機能を持つ１つ以上の層を備える多層構造から成る。陽極には標準的なＩＴＯが用いられてもよく、陰極は、電子の注入を容易にするために特別に設計される。前記層のうちの少なくとも１つは、発光の役割を果たす活性層である。有機ＬＥＤのパフォーマンスを高めるために他の層があってもよい。例えば、正孔及び／又は電子の注入及び輸送層の挿入は、幾つかのタイプの有機ＬＥＤのパフォーマンスの向上をもたらすことが知られている。
【０００５】
従って、一般的なＯＬＥＤは、２つの導電性電極の間に挟まれた２つの有機層を有する。陽極から数えると、有機層のうちの第１層は、正孔輸送の役割を果たし、第２層は、光の生成の役割を果たす。発光層においては、陰極によって注入される電子と、陽極から注入される正孔とが、再び結合し、光子を発生させる際に放射崩壊する励起子をもたらす。従って、発せられる光の色は、用いられる放射性材料(emissive material)のバンドギャップを変えることによって調整され得る。
【０００６】
照明用途の場合は、白色光源の、色調整機能、即ち、カラーポイント（色温度）を所望の値に調整する機能は、非常に重要な機能である。消費者によって選ばれ得るカラーポイントが広ければ広いほど、良く整っている光源である。異なる色温度の人工光によって雰囲気が作成され得る「エモーショナル照明(Emotional lighting)」は、今後の光源の重要な機能とみなされている。
【０００７】
色の調整可能な有機ＬＥＤ光源を得るための或る一般的なアプローチは、フルカラーディスプレイにおいて通常行なわれているように、様々な発光材料をピクセルに分解することによって、様々に着色されたピクセルを１つの装置に組み込むものである。しかしながら、このようなアプローチは、２つ以上の発光材料の使用を必要とし、それ自体、製造するのが厄介である。
【０００８】
単一の発光材料を利用して、ユーザが、ポリＬＥＤによって発せられる光の色温度を選ぶことを可能にする装置は、Sunらに対する米国特許公報番号第6 091 197号に記載されている。
【０００９】
この特許において、Sunらは、共振キャビティを形成する高反射誘電性ミラーと、高反射調整可能膜とを含む色の調整可能な有機発光ダイオード（ＲＣＯＬＥＤ）を記載している。共振キャビティ内に白色光ＯＬＥＤが配置される。高反射調整可能膜は、共振キャビティ長を変えるよう動かされる、且つ／又は共振キャビティのフィネスを変えるよう傾けられる／曲げられる。この方法においては、ＲＣＯＬＥＤから発せられる光の色、明るさ及び彩度が調整され得る。この装置は、製造するのが非常に難しく、色の調整のために、例えば、反射膜を動かす、傾ける且つ／又は曲げることによって、装置に機械的影響を及ぼすことを必要とする。
【００１０】
従って、幾つかの異なる発光材料の必要性をなくし、色の調整のために装置に機械的影響を及ぼすことを必要としない色の調整可能な発光装置のニーズが依然としてある。
【発明の開示】
【発明が解決しようとする課題】
【００１１】
本発明の１つの目的は、従来技術の上記の問題を解決することにある。
【課題を解決するための手段】
【００１２】
本願発明者は、驚くべきことに、ＯＬＥＤ装置によって発せられる光の、例えば演色評価数の図の中の或る座標によって規定されるような、カラーポイントが、発光層の厚さに依存することを見出した。厚さにおいて幾つかの領域にパターニングされ、前記領域が、個々に駆動される、発光層を持つパターニングされたＯＬＥＤ装置を供給することによって、色の調整可能な装置は得られる。ここで用いられている色の調整可能な装置は、例えばフィードバックシステムによって自動で又はユーザによって手動で、発せられる光のカラーポイントを制御する可能性を持つ発光装置を指す。従って、第１の態様においては、本発明は、ＯＬＥＤ技術に基づく発光装置であって、前記装置の様々な領域が、様々なカラーポイントの光を発する発光装置を提供する。
【００１３】
このような装置は、陽極と、陰極と、有機エレクトロルミネセント化合物を有する発光層とを支持する基板を有する。前記発光層は、前記陽極と、前記陰極との間に配設され、前記装置は、複数の独立してアドレス指定可能な領域にパターニングされる。 
【００１４】
本発明の装置においては、前記発光層は、前記装置の第１領域においては第１の厚さのものであり、第２領域においては第２の厚さのものである。この厚さの差のために、前記第１領域及び前記第２領域から光を放射させるのに十分である電圧が前記発光層の全面にわたって印加される場合、前記第１領域によって第１カラーポイントの光が発せられ、前記第２領域によって第２カラーポイントの光が発せられる。
【００１５】
前記装置からの光の放射は、色の可変な発光装置を達成するために、前記装置のこれらの異なる領域を独立して駆動することにより、様々な領域からの様々なカラーポイントの光を混合することによって調整され得る。前記発光層の材料組成は、前記装置の前記異なる領域において少なくとも本質的には同じであり、従って、単一の発光層組成だけを用いて、色の調整可能な装置が達成され得る。前記発光層は、例えば、有機小分子発光体、オリゴマ発光体、高分子発光体又はデンドリマ発光体などの有機エレクトロルミネセント化合物（発光体）を有し得る。
【００１６】
更に、前記発光材料は、２つ以上の異なる発光体、例えば、異なる色の光を発する２つの発光体及び／又は異なるタイプの２つの発光体のブレンド又は混合物を有し得る。本発明の装置は、白色光を供給し得る。更に、前記装置の第１領域に対応する前記第１カラーポイントは、第１の白色のカラーポイントであってもよく、前記装置の第２領域に対応する第２カラーポイントは、第２の白色のカラーポイントであってもよい。本発明の実施例においては、活性層は、様々な厚さを持つ様々な領域にパターニングされていてもよく、又はパターニングされていなくてもよい付加的な発光層を更に有し得る。このような付加的な発光層は、２つ以上の発光層によって発せられる光の色を混合して所望の色の光を供給するために用いられ得る。本発明の装置は、前記陽極と前記陰極との間に配設される付加的な層を更に有し得る。このような付加的な層の例は、前記陽極と、前記発光層との間に配設され、正孔輸送及び注入機能を持つ層と、前記発光層と、前記陰極との間に配設され、電子の輸送及び注入機能を持つ層とを含む。このような正孔又は電子の輸送及び注入層は、本発明による装置のパフォーマンスを高め得る。
【００１７】
本発明による発光装置は、例えば、様々な照明システム、例えば、屋内照明、舞台照明において用いられてもよく、ＬＣＤディスプレイなどの表示装置におけるバックライト用途に用いられてもよい。 
【００１８】
ここで、以下の好ましい実施例の記載において、図面を参照して本発明を更に説明する。
【発明を実施するための最良の形態】
【００１９】
本発明による色の調整可能なＯＬＥＤ装置の或る好ましい実施例は、図１に示されており、基板１と、基板１上に配設される陽極２と、陽極２上に配設される正孔輸送バッファ層３と、正孔輸送バッファ層３上に配設される発光高分子（ＬＥＰ）層４と、ＬＥＰ層４上に配設される陰極５とを有する。 
【００２０】
発光高分子層４は、装置の第１領域１１において第１の厚さ４１のものであり、第２領域１２において第２の厚さ４２のものである。
【００２１】
陽極２及び陰極５は、ＬＥＤ駆動ユニット６に接続され、ＬＥＤ駆動ユニット６は、パターニングされた発光高分子層４の様々な領域に対応する装置の領域が、独立して光を発するよう駆動され得るように陽極及び陰極を駆動する。発光層の領域へのパターニング、及びそれらの領域の独立駆動は、装置が複数の異なる領域１１、１２にパターニングされることをもたらす。
【００２２】
装置の異なる領域１１、１２は、同じ電圧で駆動される場合、異なるカラーポイントの光を発する。従って、様々な領域を独立して駆動することにより、装置によって発せられる全体の色は、装置の個々の領域のカラーポイントによって規定される範囲において調整され得る。
【００２３】
ここで用いられている「カラーポイント」という用語は、色度図における或る座標、例えば、１９３１ＣＩＥ標準の図（1931 CIE standard diagram）における（ｘ、ｙ）座標又は１９７６ＣＩＥ標準の図における（ｕ'、ｖ'）座標を指す。 
【００２４】
ここで用いられている「白色光」という用語は、例えば１９３１又は１９７６ＣＩＥ標準図において規定されるような「白色」光の領域内のカラーポイントを持つ光を指す。
【００２５】
ここで用いられている「ＯＬＥＤ」という用語は、エレクトロルミネセント有機小分子（ｓｍＯＬＥＤ）、高分子（ポリＬＥＤ）、オリゴマ及びデンドリマをベースにした発光材料などの有機エレクトロルミネセント化合物をベースにした全発光ダイオード（ＬＥＤ）を指す。適切な基板の例は、ガラス及び透明プラスチック基板を含むが、これらに限定されない。プラスチック基板は、適している場合には魅力的な選択肢である。なぜなら、プラスチック基板は、他にも利点はあるが、とりわけ、軽量、安価且つ可撓性であるからである。陽極は、基板上に配設され、イリジウムスズ酸化物（ＩＴＯ）などの当業者に既知の任意の適切な材料のものであり得る。
【００２６】
一般的に、発光高分子層によって発せられる光は、陽極側を通って装置を出る。従って、陽極は、好ましくは、透明又は半透明である。正孔輸送及び注入バッファ層は、陽極と陰極との間に印加される電界の影響を受けて、発光層の方へ正孔（正電荷）を輸送し、発光層に正孔を注入するよう、陽極上に配設される。
【００２７】
本発明における使用に適した正孔輸送及び注入バッファ層は、ＰＥＤＯＴ：ＰＳＳ（ポリエチレンジオキシチオフェンポリスチレンスルホン酸塩）及びＰＡＮＩ（ポリアニリン）を含むが、これらに限定されない。本発明の装置における使用に適した他の正孔輸送バッファ材料は、当業者には既知である。
【００２８】
正孔輸送及び注入バッファ層は、本発明の装置において必須ではなく、本発明の装置に含まれていてもよく、又は含まれていなくてもよい。しかしながら、正孔輸送及び注入バッファ層は、一般に用いられるＯＬＥＤ装置の機能を向上させるので、一般的に用いられる。 
【００２９】
本発明の装置は、幾つかの実施例においては、陰極と発光層との間に位置する電子輸送及び注入バッファ層を更に有し得る。なぜなら、このような層は、幾つかの実施例においては、装置の機能を向上させ得るからである。
【００３０】
電子注入及び／又は輸送機能を持つ適切な材料の例は、ＴＰＢＩ：２、２'、２''−（１、３、５−ベンゼントリイル）トリス［１−フェニル−１Ｈ−ベンズイミダゾール］と、ＤＣＰ：２、９ジメチル−４、７−ジフェニル−フェナントロリンと、ＴＡＺ：３−フェニル−４−（１'ナフチル）−５−フェニル−１、２、４−トリアゾールと、ＯＸＤ７：１、３−ビス（Ｎ、Ｎ−ｔ−ブチル−フェニル）−１、３、４−オキサジアゾールとを含むが、これらに限定されない。このような材料のより多くの例は、Adv. Mater. 16 (2004) 1585-1595及びAppl. Phys. Lett. (2002) 1738-1740に記載されている。
【００３１】
本発明の装置は、当業者には既知であるような光学的及び／又は電気的機能を持つ他の付加的な層も有し得る。発光層は、当業者には既知の任意の有機エレクトロルミネセント発光化合物又はこのような化合物の組み合わせを有し得る。ほとんど全ての色の光が、このような有機エレクトロルミネセント化合物によって実現することが可能である。有機エレクトロルミネセント化合物の例は、エレクトロルミネセント有機小分子、オリゴマ、高分子及びデンドリマを含む。
【００３２】
例は、Ａｌｑ３：トリス（８−ヒドロキシ−キノリン）アルミニウムと、Ｉｒ（ｐｙ）３：トリス（２−フェニルピリジン）イリジウムとを含むが、これらに限定されない。より多くの例は、例えば、Adv. Mater. 16 (2004) 1585-1595及びAppl. Phys. Lett. (2002) 1738-1740に記載されている。 
【００３３】
従来のエレクトロルミネセント高分子は、ポリ（ｐ−フェニレンビニレン）（ＰＰＶ）又はポリフルオレン及びポリ（スピロ−フルオレン）の誘導体などの有機材料を含む。他のエレクトロルミネセント高分子は、当業者には良く知られている。
【００３４】
本発明の発光高分子層においては、任意の所望の色を得るために、任意のエレクトロルミネセント高分子又はこのような高分子の組み合わせが用いられ得る。例えば、青色発光高分子と赤色発光高分子との混合された組み合わせによって、本質的に白色の光が得られ得る。このような組み合わせの一例は下記の例に記載されている。様々な色の光を供給するための発光高分子の他の組み合わせ、及び１つの高分子鎖(polymer chain)上に様々な色素モノマを組み込む単一成分高分子は、当業者には既知である。
【００３５】
図１に示されている実施例における発光層は、２つの異なる厚さの領域にパターニングされている。しかしながら、当業者には明らかであろうように、発光層は、第３の厚さの第３領域及び第４の厚さの第４領域などの３つ以上の異なる厚さの領域にもパターニングされ得る。利用可能な厚さが多ければ多いほど、装置においてより細かい調整が可能になる。
【００３６】
パターニングされた厚さを持つ発光層を形成するための多くの技術が可能な限り考えられる。例えば、発光層は、領域において堆積される材料の量、従って、領域の材料の厚さを制御するよう、正孔輸送バッファ層上に材料のインクジェット印刷することによって堆積され得る。他の技術は、例えば米国特許公報第6.252,253号に記述されているようなモールディング、及び材料を堆積させるのに蒸着が用いられる場合のリトラクタブルシャドウマスク(retractable shadow mask)の使用を含む。 
【００３７】
発光層は、様々な領域において厚さを別々に変え得る。発光層は、発光層が電界の影響を受けて発光することが出来る任意の厚さであって、異なるタイプの装置の場合は異なるであろう任意の厚さを持ち得る。ここで、幾つかのｓｍＯＬＥＤ装置における最低限の厚さは約10nmであり、ＬＥＥＣ装置における最低限の厚さは約500nmである。
【００３８】
上記の説明は、単一の発光層に関する。しかしながら、幾つかの実施例においては、発光層は、重ねて配設される、例えば２つ又は３つといった２つ以上の別々の副層を有し得る。例えば、白色光を供給するために、橙色発光層の上に青色発光層が配設されてもよい。このような実施例においては、このような副層の１つ以上の厚さが、本発明の装置を供給する厚さにおいてパターニングされ得る。 
【００３９】
上記の説明は、主にエレクトロルミネセント高分子について言及している。しかしながら、本発明は、エレクトロルミネセント有機小分子、オリゴマ及びデンドリマなどの有機エレクトロルミネセント化合物をベースにした他の発光材料にも関する。当業者には明らかであろうように、本発明の装置においては、このような有機エレクトロルミネセント化合物の様々な組み合わせもまた有用であり得る。発光層の上には陰極が配設され、随意に、上記のように、発光層と陰極との間に電子輸送及び注入層が挟まれる。幾つかの陰極材料は、当業者には良く知られており、それらの全てが、適していると考えられる。適切な陰極材料の例は、カルシウム、バリウム、フッ化リチウム、マグネシウム及びアルミニウムを含む。 
【００４０】
一般的に、本発明の装置は、発光層によって発せられる光が陽極を通って装置を出るように構成される。しかしながら、本発明の幾つかの実施例においては、光はまた、陰極層を通って装置を出てもよい。従って、このような実施例においては、陰極は、発せられる光を透過する又は半透明である材料によって形成され得る。本発明の装置においては、陽極及び陰極は、パターニングされた発光層の様々な領域に対応する装置の様々な領域が独立して駆動することが可能であるように配設される。
【００４１】
ここで用いられている「独立してアドレス指定可能な領域」は、隣接領域の駆動に関係なく、領域が駆動することが可能である、即ち、領域の全面にわたって電界を印加することが可能であることを指す。 
【００４２】
領域別駆動を達成するためにはどのように陽極及び陰極層を配設すべきかは当業者には明らかであろう。本発明の装置の能動駆動及び受動駆動の両方が適切であり得る。
【００４３】
従って、本発明の装置によって発せられる光全体のカラーポイントは、異なる個々のカラーポイントを持つ装置の様々な領域からの光を混合することによって変えられ得る。
【００４４】
好ましい実施例の上記の説明は、例示的なものでしかなく、当業者には、これらの実施例に対する修正例及び変形例は、明らかであろう。このような修正例及び変形例も添付した特許請求の範囲内に含まれる。例えば、下記の例２を参照すると、本発明の装置によって発せられる光のカラーポイントが、装置を駆動する電圧に依存することが明らかにされている。この効果は、色の可変な発光装置を得るために、上記のような層の厚さを変えることの色効果と組み合され得る。
【００４５】
本発明の或る実施例においては、複数の独立してアドレス指定可能な領域が単一の基板上に配設され、単一の複数領域ＬＥＤ装置を形成する。
【００４６】
本発明の別の実施例においては、異なる独立してアドレス指定可能な領域が異なる基板上に配設され、複数ＬＥＤ装置を形成する。
【００４７】
〔例〕
【００４８】
〔例１〕様々なＬＥＰ層厚は、様々なカラーポイントをもたらす。
【００４９】
各々、55nm、84nm及び124nmの厚さであるＬＥＰ層厚以外は同一である３つのポリＬＥＤ装置が製造された。３つの装置においては、正孔輸送層として、各々、205nm、200nm及び206nmの厚さのＰＥＤＯＴ：ＰＳＳの層が用いられた。発光高分子（ＬＥＰ）は、９９％の青色発光高分子（青色１、式Ｉ）と、１％の赤色発光高分子（ＮＲＳ−ＰＰＶ、式ＩＩ）との混合物から成る。
【数１】
2008530810.tif 000003
式Ｉ、青色１、ｋ＝０、１、ｍ＝０、５、ｎ＝０、４
【数２】
2008530810.tif 000004
式ＩＩ、ＮＲＳ−ＰＰＶ
【００５０】
５ボルトのバイアスにおいて３つの異なる装置からのスペクトルが比較された。結果は、ＬＥＰ層厚の増大がｘ及びｙ座標の両方の増大をもたらすことをはっきりと示している（図２及び３）。
【００５１】
〔例２〕異なる電圧は、異なるカラーポイントをもたらす。
【００５２】
例１の３つの装置が用いられ、装置が異なる電圧、4、4.5、5、5.5及び6ボルトで駆動される場合に発せられる光のカラーポイントが分析された。 
【００５３】
結果は、ｘ及びｙ座標の両方において、電圧の増大に伴って色座標が小さくなることをはっきりと示している（図３及び４）。例１及び２に示されているように、装置によって発せられる光のカラーポイントは、発光高分子層の厚さに依存する。
【００５４】
如何なる特定の理論にも縛られたくはなく、様々な効果がカラーポイントのこの変更の原因となり得る。 
【００５５】
調整の或る態様は、電荷キャリア又は電界の存在下での励起状態のクエンチング(quenching)の程度である。高分子混合物の青色発光成分と赤色発光成分とは、励起子結合エネルギの差のために、異なる程度のクエンチングを示し、電圧依存カラーポイントをもたらす。第１近似として、クエンチングは、印加電界又は電荷キャリア濃度に対応する。厚さが変えられる場合、電界と電荷キャリア濃度との両方とも、電流密度又は輝度と線形には対応しない。これは、輝度と無関係に、クエンチングを調整する機会、それ故、カラーポイントを調整する機会をもたらす。 
【００５６】
調整メカニズムの第２の態様は、ＬＥＰ混合物の青色発光成分及び赤色発光成分における励起子の相対形成割合である。キャリア濃度が高められる場合、或る飽和又はキャリア移動度効果(carrier mobility effect)が生じるかもしれず、いずれかの成分における電荷キャリア濃度のバランスをシフトし、それによって、青色発光と黄色発光との割合を変える。ここでも、厚さが変えられる場合、これらの飽和又は移動度効果は、電流又は電界と線形には対応しない。これは、厚さの変化によって同じ輝度で異なるカラーポイントを達成する可能性をもたらす。 
【００５７】
色の調整の第３の態様は、光学アウトカップリング(optical out-coupling)に関する。励起子の正確な位置、とりわけ、陽極及び陰極までの距離が、発光の色を決定する。高分子膜厚の変化は、その中の変化をもたらすことは明らかである。
【００５８】
好ましい実施例及び例の上記の説明は、例示的なものでしかなく、当業者には、これらの実施例に対する修正例及び変形例は明らかであろう。このような修正例及び変形例も添付した特許請求の範囲内に含まれる。 
【００５９】
例１及び例２は、厚さ及び電圧の関数としてのカラーポイントの変化を示している。しかしながら、これらのパラメータは、発せられる光の輝度（明るさ）にも影響を及ぼす。図５においては、例１の異なるＬＥＰ厚を持つ３つの装置の輝度の関数として（ｘ、ｙ）ＣＩＥ座標がプロットされている。意味のあるカラーポイントの変化が興味のある輝度範囲において達成され得ることは明らかである。図６は、例１及び２の３つの装置の異なる層厚に対する300cd/m2（ニト）におけるＣＩＥ座標をプロットしている。
【００６０】
色の変化は、４０００Ｋから１００００Ｋまでの白色ポイントの変化と同様の範囲内である。これは、照明に用いられる白色ＣＩＥ座標の範囲にぴったりと収まる。更に、用いられている厚さの範囲は実用性がある。効率は、高い電力消費を招くであろう非常に低い値までは落ちず、必要とされる電圧は極端ではない。 
【００６１】
実際的な実施例は、グラフに示されている厚さを持つ３つのタイプのピクセルを持つものであろう。その場合、適切な駆動により、図６における極値間の全ての色が生成され得る。例えば、各厚さの表面積が等しい場合には、１００ニト(0.20; 0.22)は、55nmピクセルの３００ニト駆動を必要とするであろう。
【００６２】
１００乃至１０００ニトの輝度範囲におけるカラーポイントの厚さ依存度は、同じ輝度範囲における電圧依存度より著しく大きい事に注意されたい。それ故、３００ニト(0.20; 0.22)も、55nmのピクセルを９００ニトで駆動することによって生成され得る。従って、駆動電流と、厚さ依存度との組み合わせは、興味のある輝度範囲における意味のある色の調整を可能にする。
【００６３】
幾つかのアプリケーションにおいては、本発明の装置によって、白色又は本質的に白色の光が有利に発せられ得る。しかしながら、本発明は、決して、白色光を発する装置には限定されず、例えば、他の色の光を発生させるエレクトロルミネセント化合物を利用することによって、他の色の調整可能光を供給する装置も得られ得る。 
【図面の簡単な説明】
【００６４】
【図１】パターニングされた発光高分子層を備える本発明の発光装置を断面図で図示する。
【図２】略々200nmの厚さのＰＥＤＯＴ層を持ち、55nm、84nm及び124nmの異なる発光高分子層厚を持つ装置の電界発光スペクトルのグラフである。
【図３】図２の装置のスペクトルの色座標の図である。
【図４】様々な電圧で駆動される、略々200nmの厚さのＰＥＤＯＴ層を持ち、55nm、84nm及び124nmの異なる発光高分子層厚を持つ３つの異なる装置のＣＩＥ色座標の図である。
【図５】異なるＬＥＰ厚の３つの異なる装置の、発せられる光の輝度に対するＣＩＥ座標のグラフである。
【図６】異なるＬＥＰ厚の３つの異なる装置の、300cd/m2におけるＣＩＥ色座標のグラフである。
【図１】
2008530810.tif 000005
【図２】
2008530810.tif 000006
【図３】
2008530810.tif 000007
【図４】
2008530810.tif 000008
【図５】
2008530810.tif 000009
【図６】
2008530810.tif 000010
【国際調査報告】
2008530810.tif 000011
2008530810.tif 000012
2008530810.tif 000013